(57)【要約】【課題】高い視聴率を有するテレビ番組の少なくとも一部をダビング候補として抽出する際のユーザの負担を軽減することが可能な録画装置を提供する。【解決手段】このＤＶＤ／ＢＤレコーダ１０（録画装置）は、複数のテレビ番組を記録可能なＨＤＤ１３と、ＨＤＤ１３に記録されたテレビ番組の視聴率情報をネットワークを介して取得可能なＬＡＮ通信部１６と、ＬＡＮ通信部１６により取得された視聴率に基づいて、ＨＤＤ１３に記録された複数のテレビ番組から、テレビ番組の少なくとも一部をダビング候補として抽出するレコーダ制御部１１とを備える。【選択図】図３
2011223202.tif 000002
【特許請求の範囲】
【請求項１】
複数のテレビ番組を記録可能な記録部と、
前記記録部に記録された前記テレビ番組の視聴率情報をネットワークを介して取得可能な通信部と、
前記通信部により取得された視聴率に基づいて、前記記録部に記録された複数の前記テレビ番組から、前記テレビ番組の少なくとも一部をダビング候補として抽出する制御部とを備える、録画装置。
【請求項２】
前記制御部は、前記記録部に記録された複数の前記テレビ番組のうち、予め設定された所定のしきい値以上の視聴率を有する前記テレビ番組の少なくとも一部をダビング候補として抽出するように構成されている、請求項１に記載の録画装置。
【請求項３】
ダビング候補として抽出される前記テレビ番組の少なくとも一部は、前記テレビ番組の全体または前記テレビ番組内のシーンであり、
前記制御部は、録画された前記テレビ番組の番組毎の視聴率情報または録画された前記テレビ番組内のシーン毎の視聴率情報を前記通信部を介して取得することが可能なように構成されている、請求項１または２に記載の録画装置。
【請求項４】
前記制御部は、前記通信部により番組毎の視聴率が取得された場合において、予め設定された第１しきい値以上の視聴率を有する前記テレビ番組の全体をダビング候補として抽出するとともに、前記通信部によりシーン毎の視聴率が取得された場合において、ユーザにより選択された前記テレビ番組内の複数のシーンのうち、予め設定された第２しきい値以上の視聴率を有する前記シーンをダビング候補として抽出するように構成されている、請求項３に記載の録画装置。
【請求項５】
ダビング候補として抽出された前記テレビ番組の少なくとも一部は、複数のテレビ番組または複数のシーンを含み、
前記制御部は、ダビング候補として抽出された前記テレビ番組または前記シーンのダビングを、前記複数のテレビ番組または前記複数のシーンの各々に対応する視聴率の値の大きい順に行うように構成されている、請求項１〜４のいずれか１項に記載の録画装置。
【請求項６】
前記制御部は、ユーザの操作に基づいて、前記テレビ番組または前記シーンのいずれをダビング候補として抽出するかをユーザに選択させる画面を前記表示装置に表示させるように構成されている、請求項３〜５のいずれか１項に記載の録画装置。
【請求項７】
前記制御部は、ユーザにより前記テレビ番組内のシーンをダビング候補として抽出することが選択された場合において、前記記録部に記録された複数の前記テレビ番組から、前記シーンの抽出の対象とする前記テレビ番組をユーザに選択させる画面を前記表示装置に表示させるように構成されている、請求項６に記載の録画装置。
【請求項８】
前記制御部は、ダビング候補として抽出された前記テレビ番組または前記シーンの一覧を前記表示装置に表示させるように構成されている、請求項６または７に記載の録画装置。
【請求項９】
前記制御部は、ダビング候補として抽出された複数の前記テレビ番組または複数の前記シーンの一覧を、前記複数のテレビ番組または前記複数のシーンの各々に対応する視聴率の値の大きい順に前記表示装置に表示させるように構成されている、請求項８に記載の録画装置。
【請求項１０】
前記制御部は、ダビング候補としてのテレビ番組またはシーンが前記記録部に記録されていなかった場合において、ユーザに対してダビング候補としてのテレビ番組またはシーンが存在しないことを通知する画面を前記表示装置に表示させるように構成されている、請求項６〜９のいずれか１項に記載の録画装置。
【発明の詳細な説明】
【技術分野】
【０００１】
この発明は、録画装置に関し、特に、通信部を備える録画装置に関する。
【背景技術】
【０００２】
従来、通信部を備える録画装置が知られている（たとえば、特許文献１参照）。上記特許文献１に記載の録画装置では、ネットワークを介してネットワークインタフェースカード（通信部）により取得されたテレビ番組の視聴率情報に基づいて、高い視聴率を有しているテレビ番組の次回放送分のテレビ番組が自動的に録画されるように構成されている。
【先行技術文献】
【特許文献】
【０００３】
【特許文献１】特開２００９−１１１５６１号公報
【発明の概要】
【発明が解決しようとする課題】
【０００４】
しかしながら、上記特許文献１に記載の録画装置では、自動的に録画されるのは高い視聴率を有するテレビ番組の次回放送分のテレビ番組である。ここで、テレビ番組の視聴率情報は、放送終了後でなければ取得することができない。したがって、上記特許文献１の録画装置において自動的に録画されたテレビ番組は、必ずしも高い視聴率を有していない場合があるという不都合がある。このため、録画されたテレビ番組の中から真に視聴率の高い番組をダビング候補として抽出したい場合、ユーザは録画されたテレビ番組の視聴率情報を一つ一つ確認する必要があるので、ユーザにより高い視聴率のダビング候補を抽出する際の作業が煩雑になるという問題点がある。
【０００５】
この発明は、上記のような課題を解決するためになされたものであり、この発明の１つの目的は、高い視聴率を有するテレビ番組の少なくとも一部をダビング候補として抽出する際のユーザの負担を軽減することが可能な録画装置を提供することである。
【課題を解決するための手段および発明の効果】
【０００６】
この発明の一の局面による録画装置は、複数のテレビ番組を記録可能な記録部と、記録部に記録されたテレビ番組の視聴率情報をネットワークを介して取得可能な通信部と、通信部により取得された視聴率に基づいて、記録部に記録された複数のテレビ番組から、テレビ番組の少なくとも一部をダビング候補として抽出する制御部とを備える。
【０００７】
この一の局面による録画装置では、上記のように、通信部により取得された視聴率に基づいて、記録部に記録された複数のテレビ番組から、テレビ番組の少なくとも一部をダビング候補として抽出する制御部を設けることによって、録画されたテレビ番組のうち、高い視聴率を有するテレビ番組の少なくとも一部をダビング候補として自動的に抽出することができるので、高い視聴率を有するテレビ番組の少なくとも一部をダビング候補として抽出する際のユーザの負担を軽減することができる。
【０００８】
上記一の局面による録画装置において、好ましくは、制御部は、記録部に記録された複数のテレビ番組のうち、予め設定された所定のしきい値以上の視聴率を有するテレビ番組の少なくとも一部をダビング候補として抽出するように構成されている。このように構成すれば、録画された複数のテレビ番組のうち、予め設定された所定のしきい値以上の視聴率を有するテレビ番組の少なくとも一部をダビング候補として容易に抽出することができる。
【０００９】
上記一の局面による録画装置において、好ましくは、ダビング候補として抽出されるテレビ番組の少なくとも一部は、テレビ番組の全体またはテレビ番組内のシーンであり、制御部は、録画されたテレビ番組の番組毎の視聴率情報または録画されたテレビ番組内のシーン毎の視聴率情報を通信部を介して取得することが可能なように構成されている。このように構成すれば、テレビ番組毎の視聴率に基づいて、テレビ番組の全体をダビング候補として抽出することができるとともに、シーン毎の視聴率に基づいて、テレビ番組内のシーンをダビング候補として抽出することができるので、録画されたテレビ番組のうち、高い視聴率を有するテレビ番組の全体またはテレビ番組内のシーンをダビング候補として容易に自動的に抽出することができる。
【００１０】
この場合、好ましくは、制御部は、通信部により番組毎の視聴率が取得された場合において、予め設定された第１しきい値以上の視聴率を有するテレビ番組の全体を抽出するとともに、通信部によりシーン毎の視聴率が取得された場合において、ユーザにより選択されたテレビ番組内の複数のシーンのうち、予め設定された第２しきい値以上の視聴率を有するシーンをダビング候補として抽出するように構成されている。このように構成すれば、録画された複数のテレビ番組のうち、第１しきい値以上の視聴率を有するテレビ番組の全体をダビング候補として容易に自動的に抽出することができるとともに、ユーザにより選択されたテレビ番組内の複数のシーンのうち、第２しきい値以上の視聴率を有するシーンをダビング候補として容易に自動的に抽出することができる。
【００１１】
上記一の局面による録画装置において、好ましくは、ダビング候補として抽出されたテレビ番組の少なくとも一部は、複数のテレビ番組または複数のシーンを含み、制御部は、ダビング候補として抽出されたテレビ番組またはシーンのダビングを、複数のテレビ番組または複数のシーンの各々に対応する視聴率の大きい順に行うように構成されている。このように構成すれば、ダビング候補として抽出された複数のテレビ番組または複数のシーンのダビングを行う際に、高い視聴率を有するテレビ番組またはシーンを探す手間が省けるので、ユーザの負担をより軽減することができる。
【００１２】
上記抽出されるダビング候補がテレビ番組の全体またはシーンである録画装置において、好ましくは、制御部は、ユーザの操作に基づいて、テレビ番組またはシーンのいずれをダビング候補として抽出するかをユーザに選択させる画面を表示装置に表示させるように構成されている。このように構成すれば、テレビ番組またはシーンのいずれをダビング候補として抽出するかをユーザが画面を見ながら容易に選択することができる。
【００１３】
この場合、好ましくは、制御部は、ユーザによりテレビ番組内のシーンをダビング候補として抽出することが選択された場合において、記録部に記録された複数のテレビ番組から、シーンの抽出の対象とするテレビ番組をユーザに選択させる画面を表示装置に表示させるように構成されている。このように構成すれば、録画された複数のテレビ番組のうち、いずれのテレビ番組からダビング候補としてのシーンを抽出するかをユーザが画面を見ながら容易に選択することができる。
【００１４】
上記制御部を備えた構成において、好ましくは、制御部は、ダビング候補として抽出されたテレビ番組またはシーンの一覧を表示装置に表示させるように構成されている。このように構成すれば、表示装置により、どのテレビ番組またはどのシーンがダビング候補として抽出されたかをユーザが容易に視覚的に確認することができる。
【００１５】
この場合、好ましくは、制御部は、ダビング候補として抽出された複数のテレビ番組または複数のシーンの一覧を、複数のテレビ番組または複数のシーンの各々に対応する視聴率の大きい順に表示装置に表示させるように構成されている。このように構成すれば、ユーザは、ダビング候補として抽出された複数のテレビ番組または複数のシーンの視聴率の大きさの順番を容易に視覚的に確認することができる。
【００１６】
上記制御部を備えた構成において、好ましくは、制御部は、ダビング候補としてのテレビ番組またはシーンが記録部に記録されていなかった場合において、ユーザに対してダビング候補としてのテレビ番組またはシーンが存在しないことを通知する画面を表示装置に表示させるように構成されている。このように構成すれば、録画されたテレビ番組中にダビング候補となるテレビ番組またはシーンが存在しないことをユーザが画面を見ながら容易に認識することができる。
【図面の簡単な説明】
【００１７】
【図１】本発明の一実施形態によるＤＶＤ／ＢＤレコーダが外部に接続されている状態を示した図である。
【図２】本発明の一実施形態によるＤＶＤ／ＢＤレコーダの構成を示したブロック図である。
【図３】本発明の一実施形態によるＤＶＤ／ＢＤレコーダのタイトルダビング実行時の制御動作を説明するためのフローチャートである。
【図４】本発明の一実施形態によるＤＶＤ／ＢＤレコーダのダビングモード選択画面を示した図である。
【図５】本発明の一実施形態によるＤＶＤ／ＢＤレコーダのしきい値入力画面を示した図である。
【図６】本発明の一実施形態によるＤＶＤ／ＢＤレコーダのタイトルダビング実行時に抽出されたダビング候補のテレビ番組の一覧を表示する画面を示した図である。
【図７】本発明の一実施形態によるＤＶＤ／ＢＤレコーダのタイトルダビング実行時におけるダビング候補が存在しないことをユーザに通知する画面を示した図である。
【図８】本発明の一実施形態によるＤＶＤ／ＢＤレコーダのシーンダビング実行時の制御動作を説明するためのフローチャートである。
【図９】本発明の一実施形態によるＤＶＤ／ＢＤレコーダのシーンダビング実行時のタイトル選択画面を示した図である。
【図１０】本発明の一実施形態によるＤＶＤ／ＢＤレコーダのシーンダビング実行時に抽出されたダビング候補のシーンの一覧を表示する画面を示した図である。
【図１１】本発明の一実施形態によるＤＶＤ／ＢＤレコーダのシーンダビング実行時におけるダビング候補が存在しないことをユーザに通知する画面を示した図である。
【図１２】本発明の一実施形態の変形例によるＤＶＤ／ＢＤレコーダのしきい値設定画面を示した図である。
【図１３】本発明の一実施形態の変形例によるＤＶＤ／ＢＤレコーダのタイトルダビング実行時に抽出されたダビング候補のテレビ番組の一覧を表示する画面を示した図である。
【図１４】本発明の一実施形態の変形例によるＤＶＤ／ＢＤレコーダのシーンダビング実行時に抽出されたダビング候補のシーンの一覧を表示する画面を示した図である。
【発明を実施するための形態】
【００１８】
以下、本発明の実施形態を図面に基づいて説明する。
【００１９】
まず、図１および図２を参照して、本発明の一実施形態によるＤＶＤ／ＢＤレコーダ１０（Ｄｉｇｉｔａｌ  Ｖｅｒｓａｔｉｌｅ  Ｄｉｓｃ／Ｂｌｕ−ｒａｙ  Ｄｉｓｃレコーダ）の構成について説明する。なお、ＤＶＤ／ＢＤレコーダ１０は、本発明の「録画装置」の一例である。
【００２０】
本発明の一実施形態によるＤＶＤ／ＢＤレコーダ１０は、図１に示すように、テレビジョン装置２０に接続されている。なお、テレビジョン装置２０は、本発明の「表示装置」の一例である。テレビジョン装置２０は、図２に示すように、テレビ内臓チューナ２１と、表示部２２と、テレビ制御部２３と、ＨＤＭＩ接続部２４（Ｈｉｇｈ−Ｄｅｆｉｎｉｔｉｏｎ  Ｍｕｌｔｉｍｅｄｉａ  Ｉｎｔｅｒｆａｃｅ接続部）とを備えている。また、ＤＶＤ／ＢＤレコーダ１０は、ルータ３０に接続されており、ルータ３０は、インターネットを介して視聴率サーバ４０に接続されている。また、ＤＶＤ／ＢＤレコーダ１０は、リモコン５０により操作可能である。なお、視聴率サーバ４０は、テレビ番組の視聴率情報を公開しているサーバである。
【００２１】
また、ＤＶＤ／ＢＤレコーダ１０は、レコーダ制御部１１と、レコーダ内臓チューナ１２と、ＨＤＤ１３（Ｈａｒｄ  Ｄｉｓｋ  Ｄｒｉｖｅ）と、ＤＶＤ／ＢＤドライブ１４と、ＨＤＭＩ接続部１５と、ＬＡＮ通信部１６と、リモコン５０からの操作信号を受信する赤外線通信部１７とを備えている。なお、レコーダ制御部１１は、本発明の「制御部」の一例であり、ＨＤＤ１３は本発明の「記録部」の一例であり、ＬＡＮ通信部１６は、本発明の「通信部」の一例である。レコーダ制御部１１は、レコーダ内臓チューナ１２と、ＨＤＤ１３と、ＤＶＤ／ＢＤドライブ１４と、ＨＤＭＩ接続部１５と、ＬＡＮ通信部１６とに接続されている。レコーダ制御部１１は、制御信号を伝送することによってＤＶＤ／ＢＤレコーダ１０全体の制御を行うように構成されている。また、レコーダ制御部１１は、ＨＤＭＩ接続部１５、ＨＤＭＩ接続部２４およびテレビ制御部２３を介してテレビジョン装置２０の表示内容を制御可能なように構成されている。
【００２２】
レコーダ内臓チューナ１２は、テレビジョン放送の放送信号波を受信可能に構成されている。ＨＤＤ１３は、レコーダ内臓チューナ１２およびテレビ内臓チューナ２１により受信されたテレビ番組を記録（録画）可能に構成されている。ＤＶＤ／ＢＤドライブ１４は、ＤＶＤまたはＢＤを挿入可能に構成されている。ＤＶＤ／ＢＤレコーダ１０は、ＨＤＤ１３に録画されたテレビ番組をＤＶＤ／ＢＤドライブ１４に挿入されたメディアに複製して記録（ダビング）可能に構成されている。
【００２３】
ここで、本実施形態では、ＬＡＮ通信部１６は、ルータ３０に接続されている。ＬＡＮ通信部１６は、インターネットを介して視聴率サーバ４０に接続されており、ＨＤＤ１３に記録されたテレビ番組の視聴率情報を視聴率サーバ４０から取得可能に構成されている。また、ＬＡＮ通信部１６は、ＨＤＤ１３に録画されたテレビ番組の番組毎の視聴率情報またはシーン毎の視聴率情報を取得することが可能なように構成されている。なお、シーン毎の視聴率とは、たとえばテレビ番組の分単位で分割した場合における、毎分０秒の時の視聴率である。また、番組毎の視聴率とは、１つのテレビ番組におけるシーン毎の視聴率の平均値である。なお、視聴率サーバ４０は、たとえばテレビ局などに設置されている。
【００２４】
ＤＶＤ／ＢＤレコーダ１０は、ＬＡＮ通信部１６により取得された視聴率情報に基づいて、ＨＤＤ１３に録画された複数のテレビ番組から、テレビ番組の少なくとも一部をダビング候補として抽出することが可能なように構成されている。また、ＤＶＤ／ＢＤレコーダ１０は、所定のしきい値を設定可能に構成されており、ＨＤＤ１３に録画された複数のテレビ番組のうち、しきい値以上の視聴率を有するテレビ番組の少なくとも一部をダビング候補として抽出することが可能なように構成されている。なお、テレビ番組の少なくとも一部とは、テレビ番組の全体またはテレビ番組内のシーンである。
【００２５】
また、ＤＶＤ／ＢＤレコーダ１０は、ＬＡＮ通信部１６により番組毎の視聴率が取得された場合において、しきい値以上の視聴率を有するテレビ番組の全体をダビング候補として抽出するように構成されている。また、ＤＶＤ／ＢＤレコーダ１０は、ＬＡＮ通信部１６によりシーン毎の視聴率が取得された場合において、ユーザにより選択されたテレビ番組内の複数のシーンのうち、しきい値以上の視聴率を有するシーンをダビング候補として抽出するように構成されている。
【００２６】
また、ＤＶＤ／ＢＤレコーダ１０は、ダビング候補として複数のテレビ番組または複数のシーンが抽出された場合において、テレビ番組またはシーンのダビングを、複数のテレビ番組または複数のシーンの各々に対応する視聴率の大きい順に行うように構成されている。なお、シーンのダビングを行う際には、抽出された複数のシーンの各々の前後約１分間のシーンも含めてダビングが行われる。前後に約１分間の余裕を持たせてダビングを行うことにより、シーンが途中で切れてしまうのを抑制することが可能となる。
【００２７】
また、レコーダ制御部１１は、ユーザの操作（リモコン５０の操作）に基づいて、テレビ番組の全体またはシーンのいずれをダビング候補として抽出するかをユーザに選択させる画面（図４参照）をテレビジョン装置２０の表示部２２に表示させるように構成されている。また、レコーダ制御部１１は、ユーザによりテレビ番組内のシーンをダビング候補として抽出することが選択された場合において、ＨＤＤ１３に録画された複数のテレビ番組から、シーンの抽出の対象とするテレビ番組をユーザに選択させる画面（図９参照）をテレビジョン装置２０の表示部２２に表示させるように構成されている。
【００２８】
また、レコーダ制御部１１は、ダビング候補として抽出されたテレビ番組またはシーンの一覧（図６および図１０参照）をテレビジョン装置２０の表示部２２に表示させるように構成されている。また、レコーダ制御部１１は、ダビング候補として抽出された複数のテレビ番組または複数のシーンが抽出された場合において、複数のテレビ番組または複数のシーンの一覧を、複数のテレビ番組または複数のシーンの各々に対応する視聴率の大きい順にテレビジョン装置２０の表示部２２に表示させるように構成されている。また、レコーダ制御部１１は、ダビング候補としてのテレビ番組またはシーンがＨＤＤ１３に録画されていなかった場合において、ユーザに対してダビング候補としてのテレビ番組またはシーンが存在しないことを通知する画面（図７および図１１参照）をテレビジョン装置２０の表示部２２に表示させるように構成されている。
【００２９】
次に、図３〜図７を参照して、テレビ番組の全体のダビング（タイトルダビング）が実行される場合におけるＤＶＤ／ＢＤレコーダ１０のレコーダ制御部１１の制御動作について説明する。なお、ＨＤＤ１３には、ユーザにより複数のテレビ番組が録画されている。
【００３０】
図３に示すように、タイトルダビングが実行される場合においては、まず、ステップＳ１において、ユーザがリモコン５０（図１参照）を用いてメニュー画面（図示せず）をテレビジョン装置２０の表示部２２に表示させた後、リモコン５０の十字キー５０ａを用いてメニュー画面のカーソルを移動させてメニューの中からダビングモードを選択し、リモコン５０の決定ボタン５０ｂを押下することによって、図４に示すようなダビングモード選択画面２２ａがテレビジョン装置２０の表示部２２に表示される。次に、ステップＳ２において、ユーザによりタイトルダビングモードが選択されたか否かが判断される。ステップＳ２においては、ユーザによりタイトルダビングモードが選択されるまでこの判断が繰り返され、ユーザによりタイトルダビングモードが選択されたと判断された場合に、ステップＳ３に進む。図４では、ユーザによりタイトルダビングモードが選択されている。
【００３１】
次に、ステップＳ３において、ＨＤＤ１３に録画されているテレビ番組の番組毎の視聴率がＬＡＮ通信部１６およびインターネットを介して取得され、ステップＳ４に進む。次に、ステップＳ４において、図５に示すようなしきい値入力画面２２ｂがテレビジョン装置２０の表示部２２に表示されるとともに、ユーザによりリモコン５０を用いてしきい値が入力されたか否かが判断される。ステップＳ４においては、ユーザによりしきい値が入力されるまでこの判断が繰り返され、ユーザによりしきい値が入力されたと判断された場合に、ステップＳ５に進む。図５では、たとえばユーザによりリモコン５０を用いて２桁のしきい値が入力されるとともに、ＯＫボタンが選択された場合に、ステップＳ５に進む。
【００３２】
次に、ステップＳ５において、ＨＤＤ１３に録画されたテレビ番組の中に、ステップＳ４において入力されたしきい値以上の視聴率を有するテレビ番組が存在するか否かが判断される。ステップＳ５においては、ＨＤＤ１３に録画されたテレビ番組の中に、しきい値以上の視聴率を有するテレビ番組が存在すると判断された場合に、しきい値以上の視聴率を有するテレビ番組がダビング候補として抽出され、ステップＳ６に進む。次に、ステップＳ６において、ステップＳ５においてダビング候補として抽出されたテレビ番組を視聴率の大きい順に一覧表示するタイトル表示画面２２ｃ（図６参照）が、テレビジョン装置２０の表示部２２に表示され、ステップＳ７に進む。図６では、テレビ番組ＡＡＡ、ＢＢＢおよびＣＣＣが一覧表示されている。
【００３３】
次に、ステップＳ７において、ユーザによるリモコン５０（図１参照）を用いたタイトルダビング実行の指示があるか否かが判断される。ステップＳ７においては、ユーザによるリモコン５０を用いたタイトルダビング実行の指示がないと判断された場合に、レコーダ制御部１１の制御動作が終了する。また、ステップＳ７においては、ユーザによるリモコン５０を用いたタイトルダビング実行の指示があると判断された場合に、ステップＳ８に進む。次に、ステップＳ８において、タイトルダビングが実行される。具体的には、ＨＤＤ１３に録画されたテレビ番組のうち、ダビング候補として抽出されたテレビ番組の全体がＤＶＤまたはＢＤにダビングされる。図６では、ユーザがリモコン５０（図１参照）の十字キー５０ａを用いてダビング実行ボタンを選択し、リモコン５０の決定ボタン５０ｂを押下した場合に、テレビ番組ＡＡＡ、ＢＢＢおよびＣＣＣの全体がＤＶＤまたはＢＤにダビングされる。そして、タイトルダビング実行時のレコーダ制御部１１の制御動作が終了する。
【００３４】
また、ステップＳ５においては、ＨＤＤ１３に録画されたテレビ番組の中に、ステップＳ４において入力されたしきい値以上の視聴率を有するテレビ番組が存在しないと判断された場合に、ステップＳ９に進む。次に、ステップＳ９において、図７に示すような、ユーザに対してダビング候補としてのテレビ番組が存在しないことを通知する通知画面２２ｄがテレビジョン装置２０の表示部２２に表示される。そして、タイトルダビング実行時のレコーダ制御部１１の制御動作が終了する。
【００３５】
次に、図４、図５および図８〜図１１を参照して、テレビ番組内のシーンのダビング（シーンダビング）が実行される場合におけるＤＶＤ／ＢＤレコーダ１０のレコーダ制御部１１の制御動作について説明する。
【００３６】
図８に示すように、シーンダビングが実行される場合においては、まず、ステップＳ１１において、ユーザがリモコン５０（図１参照）を用いてメニュー画面（図示せず）をテレビジョン装置２０の表示部２２に表示させた後、リモコン５０の十字キー５０ａを用いてメニュー画面のカーソルを移動させてメニューの中からダビングモードを選択し、リモコン５０の決定ボタン５０ｂを押下することによって、図４に示すようなダビングモード選択画面２２ａがテレビジョン装置２０の表示部２２に表示される。次に、ステップＳ１２において、ユーザによりシーンダビングモードが選択されたか否かが判断される。ステップＳ１２においては、ユーザによりシーンダビングモードが選択されるまでこの判断が繰り返され、ユーザによりシーンダビングモードが選択されたと判断された場合に、ステップＳ１３に進む。
【００３７】
次に、ステップＳ１３において、ＨＤＤ１３に録画されたテレビ番組から、シーンの抽出の対象とするテレビ番組をユーザに選択させるタイトル選択画面２２ｅ（図９参照）がテレビジョン装置２０の表示部２２に表示され、ステップＳ１４に進む。図９では、テレビ番組ＡＡＡ、ＢＢＢ、ＣＣＣおよびＤＤＤが表示されている。次に、ステップＳ１４において、ユーザによりシーンの抽出の対象とするテレビ番組が選択されたか否かが判断される。ステップＳ１４においては、ユーザによりシーンの抽出の対象とするテレビ番組が選択されるまでこの判断が繰り返され、ユーザによりシーンの抽出の対象とするテレビ番組が選択されたと判断された場合に、ステップＳ１５に進む。図９では、テレビ番組ＡＡＡが選択されるとともに、ユーザによりＯＫボタンが選択された場合に、ステップＳ１５に進む。
【００３８】
次に、ステップＳ１５において、ＨＤＤ１３に録画されているテレビ番組内のシーン毎の視聴率がＬＡＮ通信部１６およびインターネットを介して取得され、ステップＳ１６に進む。次に、ステップＳ１６において、図５に示すようなしきい値入力画面２２ｂがテレビジョン装置２０の表示部２２に表示されるとともに、ユーザによりリモコン５０（図１参照）を用いてしきい値が入力されたか否かが判断される。ステップＳ１６においては、ユーザによりしきい値が入力されるまでこの判断が繰り返され、ユーザによりしきい値が入力されたと判断された場合に、ステップＳ１７に進む。図５では、たとえばユーザによりリモコン５０（図１参照）を用いて２桁のしきい値が入力されるとともに、ＯＫボタンが選択された場合に、ステップＳ１７に進む。
【００３９】
次に、ステップＳ１７において、ステップＳ１４においてユーザにより選択されたテレビ番組内のシーンの中に、ステップＳ１６において入力されたしきい値以上の視聴率を有するシーンが存在するか否かが判断される。ステップＳ１７においては、ステップＳ１４においてユーザにより選択されたテレビ番組内のシーンの中に、しきい値以上の視聴率を有するシーンが存在すると判断された場合に、しきい値以上の視聴率を有するシーンがダビング候補として抽出され、ステップＳ１８に進む。次に、ステップＳ１８において、ステップＳ１７においてダビング候補として抽出されたシーンを視聴率の大きい順に一覧表示するシーン表示画面２２ｆ（図１０参照）が、テレビジョン装置２０の表示部２２に表示され、ステップＳ１９に進む。図１０では、シーン１、２、５および８が一覧表示されている。
【００４０】
次に、ステップＳ１９において、ユーザによるリモコン５０（図１参照）を用いたシーンダビング実行の指示があるか否かが判断される。ステップＳ１９においては、ユーザによるリモコン５０を用いたシーンダビング実行の指示がないと判断された場合に、レコーダ制御部１１の制御動作が終了する。また、ステップＳ１９においては、ユーザによるリモコン５０を用いたシーンダビング実行の指示があると判断された場合に、ステップＳ２０に進む。次に、ステップＳ２０において、シーンダビングが実行される。具体的には、ステップＳ１４においてユーザにより選択されたテレビ番組内のシーンのうち、ダビング候補として抽出されたシーンがＤＶＤまたはＢＤにダビングされる。図１０では、ユーザがリモコン５０（図１参照）の十字キー５０ａを用いてダビング実行ボタンを選択し、リモコン５０の決定ボタン５０ｂを押下した場合に、シーン１、２、５および８がＤＶＤまたはＢＤにダビングされる。そして、シーンダビング実行時のレコーダ制御部１１の制御動作が終了する。
【００４１】
また、ステップＳ１７においては、ステップＳ１４においてユーザにより選択されたテレビ番組の中に、しきい値以上の視聴率を有するシーンが存在しなかった場合に、ステップＳ２１に進む。次に、ステップＳ２１において、図１１に示すような、ユーザに対してダビング候補としてのシーンが存在しないことを通知する通知画面２２ｇがテレビジョン装置２０の表示部２２に表示される。そして、シーンダビング実行時のレコーダ制御部１１の制御動作が終了する。
【００４２】
本実施形態によるＤＶＤ／ＢＤレコーダ１０では、上記のように、ＬＡＮ通信部１６により取得された視聴率に基づいて、ＨＤＤ１３に記録された複数のテレビ番組から、テレビ番組の少なくとも一部をダビング候補として抽出するレコーダ制御部１１を設けることによって、録画されたテレビ番組のうち、高い視聴率を有するテレビ番組の少なくとも一部をダビング候補として自動的に抽出することができるので、高い視聴率を有するテレビ番組の少なくとも一部を抽出する際のユーザの負担を軽減することができる。
【００４３】
また、本実施形態では、上記のように、レコーダ制御部１１を、ＨＤＤ１３に記録された複数のテレビ番組のうち、予め設定されたしきい値以上の視聴率を有するテレビ番組の少なくとも一部をダビング候補として抽出するように構成している。これにより、録画された複数のテレビ番組のうち、予め設定されたしきい値以上の視聴率を有するテレビ番組の少なくとも一部をダビング候補として容易に抽出することができる。
【００４４】
また、本実施形態では、上記のように、ダビング候補として抽出されるテレビ番組の少なくとも一部は、テレビ番組の全体またはテレビ番組内のシーンであり、レコーダ制御部１１を、録画されたテレビ番組の番組毎の視聴率情報または録画されたテレビ番組内のシーン毎の視聴率情報をＬＡＮ通信部１６を介して取得することが可能なように構成している。これにより、番組毎の視聴率に基づいて、テレビ番組の全体をダビング候補として抽出することができるとともに、シーン毎の視聴率に基づいて、テレビ番組内のシーンをダビング候補として抽出することができるので、録画されたテレビ番組のうち、高い視聴率を有するテレビ番組の全体またはテレビ番組内のシーンをダビング候補として容易に自動的に抽出することができる。
【００４５】
また、本実施形態では、上記のように、レコーダ制御部１１を、ＬＡＮ通信部１６によりテレビ番組毎の視聴率が取得された場合において、予め設定された第１しきい値以上の視聴率を有するテレビ番組の全体を抽出するとともに、ＬＡＮ通信部１６によりシーン毎の視聴率が取得された場合において、ユーザにより選択されたテレビ番組内の複数のシーンのうち、予め設定された第２しきい値以上の視聴率を有するシーンをダビング候補として抽出するように構成している。これにより、録画された複数のテレビ番組のうち、第１しきい値以上の視聴率を有するテレビ番組の全体をダビング候補として容易に自動的に抽出することができるとともに、ユーザにより選択されたテレビ番組内の複数のシーンのうち、第２しきい値以上の視聴率を有するシーンをダビング候補として容易に自動的に抽出することができる。
【００４６】
また、本実施形態では、上記のように、ダビング候補として抽出されたテレビ番組の少なくとも一部は、複数のテレビ番組または複数のシーンを含み、レコーダ制御部１１を、ダビング候補として抽出されたテレビ番組またはシーンのダビングを、複数のテレビ番組または複数のシーンの各々に対応する視聴率の大きい順に行うように構成している。これにより、ダビング候補として抽出された複数のテレビ番組または複数のシーンのダビングを行う際に、高い視聴率を有するテレビ番組またはシーンを探す手間が省けるので、ユーザの負担をより軽減することができる。
【００４７】
また、本実施形態では、上記のように、レコーダ制御部１１を、ユーザの操作に基づいて、テレビ番組またはシーンのいずれをダビング候補として抽出するかをユーザに選択させる画面を表示装置に表示させるように構成している。これにより、テレビ番組またはシーンのいずれをダビング候補として抽出するかをユーザが画面を見ながら容易に選択することができる。
【００４８】
また、本実施形態では、上記のように、レコーダ制御部１１を、ユーザによりテレビ番組内のシーンをダビング候補として抽出することが選択された場合において、ＨＤＤ１３に記録された複数のテレビ番組から、シーンの抽出の対象とするテレビ番組をユーザに選択させる画面をテレビジョン装置２０に表示させるように構成している。これにより、録画された複数のテレビ番組のうち、いずれのテレビ番組からダビング候補としてのシーンを抽出するかをユーザが画面を見ながら容易に選択することができる。
【００４９】
また、本実施形態では、上記のように、レコーダ制御部１１を、ダビング候補として抽出されたテレビ番組またはシーンの一覧を表示装置に表示させるように構成している。これにより、テレビジョン装置２０によって、どのテレビ番組またはどのシーンがダビング候補として抽出されたかをユーザが容易に視覚的に確認することができる。
【００５０】
また、本実施形態では、上記のように、レコーダ制御部１１を、ダビング候補として抽出された複数のテレビ番組または複数のシーンの一覧を、複数のテレビ番組または複数のシーンの各々に対応する視聴率の大きい順にテレビジョン装置２０に表示させるように構成している。これにより、ユーザは、ダビング候補として抽出された複数のテレビ番組または複数のシーンの視聴率の大きさの順番を容易に視覚的に確認することができる。
【００５１】
また、本実施形態では、上記のように、レコーダ制御部１１を、ダビング候補としてのテレビ番組またはシーンがＨＤＤ１３に記録されていなかった場合において、ユーザに対してダビング候補としてのテレビ番組またはシーンが存在しないことを通知する画面をテレビジョン装置２０に表示させるように構成している。これにより、録画されたテレビ番組中にダビング候補となるテレビ番組またはシーンが存在しないことをユーザが画面を見ながら容易に認識することができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記実施形態では、タイトルダビングとシーンダビングとを選択的に実行可能な録画装置を示したが、本発明はこれに限らない。本発明では、タイトルダビングまたはシーンダビングの一方のみを実行可能な録画装置であってもよい。
【００５４】
また、上記実施形態では、ダビングを実行する毎にしきい値の入力が必要な録画装置を示したが、本発明はこれに限らない。本発明では、ダビングを実行する前に、予めしきい値を設定しておくことが可能な録画装置であってもよい。なお、しきい値を予め設定した場合、タイトルダビング実行時において、図３のステップＳ４が省略される。また、シーンダビング実行時において、図８のステップＳ１６が省略される。
【００５５】
また、上記しきい値を予め設定可能な場合、しきい値を設定する際に、たとえば図１２に示すような、しきい値を設定するためのしきい値設定画面２２ｈがテレビジョン装置２０の表示部２２に表示される。この場合、図１２に示すように、テレビ番組のジャンル毎に異なるしきい値をリモコン５０により設定可能にしてもよい。
【００５６】
また、上記実施形態では、抽出されたテレビ番組を全てダビングする録画装置を示したが、本発明はこれに限らない。本発明では、抽出されたテレビ番組からダビングするテレビ番組を選択可能な録画装置であってもよい。たとえば、図１３に示すように、タイトル表示画面２２ｃにチェックボックス２２ｉを設け、ダビングの対象とするテレビ番組をリモコン５０により選択可能にしてもよい。図１３では、テレビ番組ＡＡＡおよびＢＢＢが選択されている。
【００５７】
また、上記実施形態では、抽出されたシーンを全てダビングする録画装置を示したが、本発明はこれに限らない。本発明では、抽出されたシーンからダビングするシーンを選択可能な録画装置であってもよい。たとえば、図１４に示すように、シーン表示画面２２ｆにチェックボックス２２ｊを設け、ダビングの対象とするシーンをリモコン５０により選択可能にしてもよい。図１４では、シーン２および５が選択されている。
【００５８】
また、上記実施形態では、ＨＤＤに録画されたテレビ番組をＤＶＤまたはＢＤにダビングする録画装置を示したが、本発明はこれに限らない。本発明では、ＤＶＤまたはＢＤに録画されたテレビ番組を、新たなＤＶＤまたはＢＤにダビングする録画装置であってもよい。
【符号の説明】
【００５９】
１０  ＤＶＤ／ＢＤレコーダ（録画装置）
１１  レコーダ制御部（制御部）
１３  ＨＤＤ（記録部）
１６  ＬＡＮ通信部（通信部）
２０  テレビジョン装置（表示装置）
【図１】
2011223202.tif 000003
【図２】
2011223202.tif 000004
【図３】
2011223202.tif 000005
【図４】
2011223202.tif 000006
【図５】
2011223202.tif 000007
【図６】
2011223202.tif 000008
【図７】
2011223202.tif 000009
【図８】
2011223202.tif 000010
【図９】
2011223202.tif 000011
【図１０】
2011223202.tif 000012
【図１１】
2011223202.tif 000013
【図１２】
2011223202.tif 000014
【図１３】
2011223202.tif 000015
【図１４】
2011223202.tif 000016